【手続補正書】
【提出日】平成15年12月18日(2003.12.18)
【手続補正１】
【補正対象書類名】明細書
【補正対象項目名】全文
【補正方法】変更
【補正の内容】
【発明の名称】折りたたみ型携帯機
【特許請求の範囲】
【請求項１】内部にプリント基板モジュールを有し及び表面に入力部を有する第1の筐体と、内部にプリント基板モジュールを有し及び表面に表示部を有する第２の筐体とを備え、該第1の筐体と該第２の筐体とがヒンジを介して接続されることにより折りたたみ可能である構成の折りたたみ型携帯機において、
該ヒンジを金属製とすると共に、
該ヒンジより延びている金属製の第1の筐体用シャーシ及び第２の筐体用シャーシを有し、
且つ、上記第1の筐体は、上記金属製の第1の筐体用シャーシに対して上記プリント基板モジュール、合成樹脂製の上ケース部材及び下ケース部材が固定してあり、該上ケース部材及び下ケース部材が上記第1の筐体用シャーシを覆う構成であり、
且つ、上記第２の筐体は、上記金属製の第２の筐体用シャーシに対して上記プリント基板モジュール、合成樹脂製の上ケース部材及び下ケース部材が固定してあり、該上ケース部材及び下ケース部材が上記第２の筐体用シャーシを覆う構成としたことを特徴とする折りたたみ型携帯機。
【請求項２】請求項１記載の折りたたみ型携帯機において、
上記金属製の第1の筐体用シャーシは、上記プリント基板モジュールを覆うシールド板部を有し、
上記金属製の第２の筐体用シャーシは、上記プリント基板モジュールを覆うシールド板部を有する構成としたことを特徴とする折りたたみ型携帯機。
【請求項３】請求項１記載の折りたたみ型携帯機において、
内部アンテナを有し、
上記金属製の第1の筐体用シャーシは、上記プリント基板モジュールより短い長さであり、
上記金属製の第２の筐体用シャーシは、上記プリント基板モジュールより短い長さであり、
上記内部アンテナは、上記第２の筐体の内部のうち上記金属製の第２の筐体用シャーシの外側の位置に設けてある構成としたことを特徴とする折りたたみ型携帯機。
【請求項４】請求項１記載の折りたたみ型携帯機において、
内部アンテナを有し、
上記金属製の第２の筐体用シャーシは、上記プリント基板モジュールより短い長さであり、
上記内部アンテナは、上記第２の筐体の内部のうち上記金属製の第２の筐体用シャーシの外側の位置に設けてある構成としたことを特徴とする折りたたみ型携帯機。
【請求項５】請求項１記載の折りたたみ型携帯機において、
上記金属製の第1の筐体用シャーシ及び上記金属製の第２の筐体用シャーシのうち少なくとも一方は、筐体の側面に露出するリブを有し、
上記第1の筐体及び第２の筐体のうち少なくとも一方は、側面に上記リブが露出している構成としたことを特徴とする折りたたみ型携帯機。
【請求項６】第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定された折りたたみ型携帯機において、
該第1の金属製部材、該第２の金属製部材のヒンジ部を構成する先端部以外の部分について両面から挟み込むように樹脂製部材を設けたことを特徴とする折りたたみ型携帯機。
【請求項７】第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、
且つ、該第１の合成樹脂部材は、前記第1の金属製部材の先端部が構成するヒンジ部の一部を覆う覆い部を備え、該第２の合成樹脂部材は、前記第２の金属製部材の先端部が構成するヒンジ部の一部を覆う覆い部を備えたことを特徴とする折りたたみ型携帯機。
【請求項８】第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、
且つ、該第１の合成樹脂部材は、前記第1の金属製部材の先端部が構成するヒンジ部を全て覆う覆い部を備え、該第２の合成樹脂部材は、前記第２の金属製部材の先端部が構成するヒンジ部を全て覆う覆い部を備えたことを特徴とする折りたたみ型携帯機。
【請求項９】内部に第1のプリント基板モジュールを有し及び表面に入力部を有する第1の筐体と、内部に第２のプリント基板モジュールを有し及び表面に表示部を有する第２の筐体とを備え、該第1の筐体と該第２の筐体とがヒンジを介して接続されることにより折りたたみ可能である構成の折りたたみ型携帯機において、
該ヒンジを金属製とすると共に、
該ヒンジより延びている金属製の第1の筐体用シャーシ及び第２の筐体用シャーシを有し、
且つ、上記第1の筐体は、上記金属製の第1の筐体用シャーシに対して上記第１のプリント基板モジュール、合成樹脂製であり上記第1の筐体用シャーシの全体を覆うシャーシ覆い部及び該シャーシ覆い部から延びて形成してある上記ヒンジの一部を覆うヒンジ覆い部を有する第1の上ケース部材及び第1の下ケース部材が固定してあり、該第1の上ケース部材及び第1の下ケース部材が、上記第1の筐体用シャーシの全体及び上記ヒンジの一部を覆う構成であり、
且つ、上記第２の筐体は、上記金属製の第２の筐体用シャーシに対して上記プリント基板モジュール、合成樹脂製であり上記第２の筐体用シャーシの全体を覆うシャーシ覆い部及び該シャーシ覆い部から延びて形成してある上記ヒンジのうち上記第1の上ケース部材のヒンジ覆い部及び第1の下ケース部材のヒンジ覆い部によっては覆われていない残りの部分を覆うヒンジ覆い部を有する第２の上ケース部材及び第２の下ケース部材が固定してあり、該第２の上ケース部材及び第２の下ケース部材が上記第２の筐体用シャーシの全体及び上記ヒンジの残りの部分を覆う構成とし、
且つ、
該第1の筐体の第1の下ケース部材と該第２の筐体の第２の下ケース部材とは、該第1の筐体と該第２の筐体とが通話するときの状態にまで開かれたときに、第２の上ケース部材のシャーシ覆い部のうちヒンジ覆い部側の部分が、第１の上ケース部材のシャーシ覆い部のうちヒンジ覆い部側の部分に当接する構成であり、
上記下ケース部材は、シャーシ覆い部のうちヒンジ覆い部側に、押されたときに凹むように弾性変形する壁を有し、
該第1の筐体と該第２の筐体とが、通話時の開き状態を越えて、強制的に更に開かれるときに、上記下ケース部材の壁が弾性変形して、通話時の開き状態を越えての回動が可能となり、開かせる力が解除されると、弾性変形した上記ばね部が復元して、該第1の筐体と該第２の筐体とが、通話時の開き状態に戻される構成としたことを特徴とする折りたたみ型携帯機。
【請求項１０】請求項９記載の折りたたみ型携帯機において、
上記第1の下ケース部材の上記の壁の内側に、ばね部材が組み込まれた構成としたことを特徴とする折りたたみ型携帯機。
【発明の詳細な説明】
【０００１】
【発明の属する技術分野】
【０００２】
本発明は折りたたみ型携帯機に係り、特に、携帯時（待ち受け時、非通信時等）には折りたたまれており、通話や通信等をする際に開かれる構造の折りたたみ型携帯機に関する。
【０００３】
携帯電話機は、構造的には、折りたたみ可能な構造である折りたたみ型携帯電話機と、折りたたみ構造でない所謂棒タイプの携帯電話機に分類される。この折りたたみ型携帯電話機においても、棒タイプの携帯電話機と同様に、乱暴に取り扱われても変形等を起こさないような高い機械的強度が必要である。また、折りたたみ型携帯電話機は軽量化も求められている。
【従来の技術】
【０００４】
図１及び図２（Ａ），（Ｂ）は機械的強度の向上が図られている従来の折りたたみ型携帯電話機１０を示す。この折りたたみ型携帯電話機１０は、ユーザの手６０に保持される操作キー側部分１１と、開閉される液晶側部分１２と、連結するヒンジ１３とを有する。操作キー側部分１１は、板部２０とハウジング２１とが組み合わされ、内部にプリント基板モジュール２２が組み込まれている構造である。液晶側部分１２は、板部３０とハウジング３１とが組み合わされ、内部にプリント基板モジュール３２が組み込まれている構造である。ハウジング２１の下面にバッテリパック４０が装着される。ハウジング２１は、ヒンジ１３に近い部分に、深い部分２１ａを有する。折りたたみ型携帯電話機１０は、携帯時には、図２（Ｂ）に示すように折りたたまれており、通話や通信等をする時には、液晶側部分１２が回動されて図２（Ａ）に示すように開かれる。
【０００５】
ハウジング２１、３１は合成樹脂製の成形部品である。板部２０及び板部３０は、マグネシウム製のダイキャスト部品を塗装した部品である。ヒンジ１３は、板部２０の端から突き出ている円弧部２０ａ及び板部３０の端から突き出ている円弧部３０ａが組み合わされて構成されており、ヒンジ１３もマグネシウム製である。
【０００６】
折りたたみ型携帯電話機１０は、ヒンジ１３及び板部２０、３０がマグネシウム製であることによって、機械的強度の向上が図られている。金属としてマグネシウムを採用している理由は、軽量化を考慮してのことである。
【０００７】
また、折りたたみ型携帯電話機１０は、内蔵アンテナ５０を有する。内蔵アンテナ５０は、操作キー側部分１１の内部のうちハウジング２１の深い部分２１ａに収まるように設けてある。
【発明が解決しようとする課題】
【０００８】
図２（Ａ）に示すように開かれた状態で、板部２０及び板部３０は、折りたたみ型携帯電話機１０の表の面を構成する。よって、板部２０及び板部３０は、外観が重要となる。このため、板部２０及び板部３０は、金型から取り出したのち、ゲートを取り除き、ばりを除去し、必要に応じて研摩し、その後に塗装をして完成品となる。
【０００９】
ここで、マグネシウム製のダイキャスト部品は、他の金属のダイキャスト部品に比べて、ばりが多く、しかも、微小な気泡が取り込まれて荒れた面が現れることが多い。そこで、塗装をする前に、ばり取り及び部分的な研摩等の仕上げ作業に行なう必要がある。ここで、板部２０及び板部３０は折りたたみ型携帯電話機１０の表の面を構成するため、仕上げを要する面積が非常に広くなり、仕上げ作業に多くの工数を要してしまう。
【００１０】
また、仕上げ作業が十分でないと、塗装した面の一部が荒れた面となってしまい、板部２０及び板部３０は外観不良となってしまう。
【００１１】
また、場合によっては、塗装をした直後には表面は滑らかであっても、塗装後に塗装膜の強化のために加熱したときに、板部２０、３０の表面の微小な気泡が膨張することによって、塗装膜に膨らみができて、板部２０及び板部３０は外観不良となってしまうこともあった。
【００１２】
このように、板部２０及び板部３０の製造の歩留まりが良くなく、従来の折りたたみ型携帯電話機１０は製造性がよくなかった。
【００１３】
また、従来の折りたたみ型携帯電話機１０は、内蔵アンテナ５０の特性がよくなかった。内蔵アンテナ５０は、近くに金属板が内蔵アンテナを覆うように設けてあると、電波を放出しにくくなって特性が低下する。そこで、内蔵アンテナ５０はマグネシウム製板部２０、３０より出来るだけ離れた箇所を選んで、ハウジング２１の深い部分２１ａに収まるように設けてある。しかし、折りたたみ型携帯電話機１０は薄型化されており、内蔵アンテナ５０をマグネシウム製板部２０から十分に離すことは困難であった。また、ハウジング２１は操作キー側部分１１を構成しており、通話するときには、ハウジング２１の深い部分２１ａは、図２（Ａ）に示すように、ユーザの手６０の一部によって覆われてしまい、手６０によって内蔵アンテナ５０の特性が低下された状態とされてしまっていた。
【００１４】
そこで、本発明は、上記課題を解決した折りたたみ型携帯機を提供することを目的とする。
【課題を解決するための手段】
【００１５】
請求項１の発明は、内部にプリント基板モジュールを有し及び表面に入力部を有する第1の筐体と、内部にプリント基板モジュールを有し及び表面に表示部を有する第２の筐体と、該第1の筐体と該第２の筐体とがヒンジを介して接続されることにより折りたたみ可能である構成の折りたたみ型携帯機において；該ヒンジを金属製とすると共に；該ヒンジより延びている金属製の第1の筐体用シャーシ及び第２の筐体用シャーシを有し；且つ、上記第1の筐体は、上記金属製の第1の筐体用シャーシに対して上記プリント基板モジュール、合成樹脂製の上ケース部材及び下ケース部材が固定してあり、該上ケース部材及び下ケース部材が上記第1の筐体用シャーシを覆う構成であり；且つ、上記第２の筐体は、上記金属製の第２の筐体用シャーシに対して上記プリント基板モジュール、合成樹脂製の上ケース部材及び下ケース部材が固定してあり、該上ケース部材及び下ケース部材が上記第２の筐体用シャーシを覆う構成としたものである。
【００１６】
ヒンジが金属製であり、第1の筐体は金属製の第1の筐体用シャーシを骨格とする構造であり、且つ、第２の筐体は金属製の第２の筐体用シャーシを骨格とする構造である構成は、折りたたみ型携帯機の機械的強度を高める。
【００１７】
合成樹脂製の上ケース部材及び下ケース部材が第1の筐体用シャーシを覆い、合成樹脂製の上ケース部材及び下ケース部材が第２の筐体用シャーシを覆う構成によって、第1の筐体用シャーシ及び第２の筐体用シャーシが夫々第1の筐体及び第２の筐体の表面に露出しないようになって、金属製である第1の筐体用シャーシ及び第２の筐体用シャーシの仕上げ作業が簡易で足りるようになる。
【００１８】
請求項２の発明は、請求項１記載の折りたたみ型携帯機において；上記金属製の第1の筐体用シャーシは、上記プリント基板モジュールを覆うシールド板部を有し；上記金属製の第２の筐体用シャーシは、上記プリント基板モジュールを覆うシールド板部を有する構成としたものである。
【００１９】
シールド板部が第1の筐体用シャーシ及び第２の筐体用シャーシと一体に設けてあるため、独立した部品としてのシールド板部材が必要でなくなる。
【００２０】
請求項３の発明は、請求項１記載の折りたたみ型携帯機において；内部アンテナを有し；上記金属製の第1の筐体用シャーシは、上記プリント基板モジュールより短い長さであり；上記金属製の第２の筐体用シャーシは、上記プリント基板モジュールより短い長さであり；上記内部アンテナは、上記第２の筐体の内部のうち上記金属製の第２の筐体用シャーシの外側の位置に設けてある構成としたものである。
【００２１】
内部アンテナは第２の筐体の内部のうち上記金属製の第２の筐体用シャーシの外側の位置に設けてあるため、金属製の第２の筐体用シャーシの影響を受けにくく、且つ、閉じた状態においては、金属製の第1の筐体用シャーシの影響を受けにくい。よって、内部アンテナは良好な特性を有する。
【００２２】
請求項４の発明は、請求項１記載の折りたたみ型携帯機において；内部アンテナを有し；上記金属製の第２の筐体用シャーシは、上記プリント基板モジュールより短い長さであり；上記内部アンテナは、上記第２の筐体の内部のうち上記金属製の第２の筐体用シャーシの外側の位置に設けてある構成としたものである。
【００２３】
内部アンテナは第２の筐体の内部のうち上記金属製の第２の筐体用シャーシの外側の位置に設けてあるため、金属製の第２の筐体用シャーシの影響を受けにくい。よって、内部アンテナは良好な特性を有する。
【００２４】
請求項５の発明は、請求項１記載の折りたたみ型携帯機において；上記金属製の第1の筐体用シャーシ及び上記金属製の第２の筐体用シャーシのうち少なくとも一方は、筐体の側面に露出するリブを有し；上記第1の筐体及び第２の筐体のうち少なくとも一方は、側面に上記リブが露出している構成としたものである。
【００２５】
ユーザが折りたたみ型携帯機を手で持ったときに、ユーザの手は最初にリブに接触する。これによって、ユーザに静電気が帯電している場合に、静電気はシャーシを介してプリント基板モジュールのグランドパターンに逃がされる。よって、プリント基板モジュールの電子回路に静電気の電流が流れることが回避され、プリント基板モジュールの電子回路が保護される。
【００２６】
請求項６の発明は、第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、該第1の金属製部材、該第２の金属製部材のヒンジ部を構成する先端部以外の部分の少なくとも一部を樹脂製部材で覆った構成としたものである。
【００２７】
第1の金属製部材、該第２の金属製部材のうち樹脂製部材で覆われる部分は、表面処理が不要となる。
【００２８】
請求項７の発明は、第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、
且つ、該第１の合成樹脂部材は、前記第1の金属製部材の先端部が構成するヒンジ部の一部を覆う覆い部を備え、該第２の合成樹脂部材は、前記第２の金属製部材の先端部が構成するヒンジ部の一部を覆う覆い部を備えた構成としたものである。
【００２９】
第1の筐体用シャーシ及び第２の筐体用シャーシに加えてヒンジ部の一部が第1の筐体及び第２の筐体の表面に露出しないようになって、金属製である第1の筐体用シャーシ及び第２の筐体用シャーシ及びヒンジの一部については、仕上げ作業がほとんど不要となる。
【００３０】
請求項８の発明は、第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、
且つ、該第１の合成樹脂部材は、前記第1の金属製部材の先端部が構成するヒンジ部を全て覆う覆い部を備え、該第２の合成樹脂部材は、前記第２の金属製部材の先端部が構成するヒンジ部を全て覆う覆い部を備えた構成としたものである。
【００３１】
第1の筐体用シャーシ及び第２の筐体用シャーシに加えてヒンジ部の全部が第1の筐体及び第２の筐体の表面に露出しないようになって、金属製である第1の筐体用シャーシ及び第２の筐体用シャーシ及びヒンジの仕上げ作業がほとんど不要となる。
【００３２】
請求項９の発明は、第1の筐体の第1の下ケース部材と該第２の筐体の第２の下ケース部材とは、該第1の筐体と該第２の筐体とが通話するときの状態にまで開かれたときに、第２の上ケース部材のシャーシ覆い部のうちヒンジ覆い部側の部分が、第１の上ケース部材のシャーシ覆い部のうちヒンジ覆い部側の部分に当接する構成であり、
上記下ケース部材は、シャーシ覆い部のうちヒンジ覆い部側に、押されたときに凹むように弾性変形する壁を有し、
該第1の筐体と該第２の筐体とが、通話時の開き状態を越えて、強制的に更に開かれるときに、上記下ケース部材の壁が弾性変形して、通話時の開き状態を越えての回動が可能となり、開かせる力が解除されると、弾性変形した上記ばね部が復元して、該第1の筐体と該第２の筐体とが、通話時の開き状態に戻される構成としたものである。
【００３３】
通話時の開き状態を越えて開いたときに変形するバネをヒンジ部に組み込む必要がなく、よって、ヒンジ部を簡単な構造に、且つ、ヒンジ部を細く出来る。
【００３４】
請求項１０の発明は、請求項９記載の折りたたみ型携帯機において、
上記第1の下ケース部材の上記の壁の内側に、ばね部材が組み込まれた構成としたものである。
【００３５】
ばね部材は、凹まされた下ケース部材の壁が弾性復元することの信頼性を向上させる。
【発明の実施の形態】
【００３６】
〔第１実施例〕
図３（Ａ），（Ｂ）及び図４（Ａ），（Ｂ）は、本発明の第１実施例になる折りたたみ型携帯電話機１００の携帯時と通話時の状態を示し、図５は図３（Ｂ）の折りたたみ型携帯電話機１００を分解して示す。図６は、図５中、シャーシとプリント基板モジュールとを対応させて示し、図７はプリント基板モジュールが組み込んであるシャーシ組立体を分解して示す。
【００３７】
折りたたみ型携帯電話機１００は、例えば電話番号等の入力キーを含む操作キー部分１０１と例えば待ち受け画面、発、着電話番号等を表示するディスプレイを含む液晶表示部分１０２とがヒンジ１０３によって連結してある構成であり、操作キー部分１０１の下面にバッテリパック１０５が装着され、携帯時には、図３（Ａ）及び図４（Ａ）に示すように折りたたまれているときに、通信（通話）を行うには、図３（Ｂ）及び図４（Ｂ）に示すように、操作キー部分１０１がユーザの手６０に保持され、例えば手動で液晶表示部分１０２がヒンジ１０３を中心に回動されて開かれた状態とされる。
【００３８】
シャーシ組立体１１０は、図６及び図７に示すように、操作キー部分用シャーシ１２０と、液晶表示部分用シャーシ１３０とを組み合わせてなる構造である。操作キー部分用シャーシ１２０と液晶表示部分用シャーシ１３０とは、共にマグネシウム製のダイキャスト部品である。操作キー部分用シャーシ１２０は、四つの枠辺１２２〜１２５よりなる例えば正方形などの略方形状の枠部１２１と、枠部１２１の一つ枠辺１２５より枠部１２１の外側に突き出して形成してある円弧面状張り出し部１２６と、枠部１２１の内側に突き出ている複数のフランジ部１２７とよりなる。枠部１２１の内側は開口である。液晶表示部分用シャーシ１３０も、操作キー部分用シャーシ１２０と同じく、四つの枠辺１３２〜１３５よりなる例えば正方形などの略方形状の枠部１３１と、枠部１３１の一つ枠辺１３５より枠部１３１の外側に突き出して形成してある円弧面状張り出し部１３６と、枠部１３１の内側に突き出ている複数のフランジ部１３７とよりなる。枠部１３１の内側は開口である。なお、ヒンジを構成可能な空間を形成できるのであれば、張り出し部１２６、１３６の形状は、円弧面状以外の形状であってもよい。
【００３９】
図７に示すように、操作キー部分用シャーシ１２０と液晶表示部分用シャーシ１３０とは、円弧面状張り出し部１２６と円弧面状張り出し部１３６とを、２つのヒンジモジュール１４０，１４１と共に組み合わされて一体化される。組み合わされた円弧面状張り出し部１２６、１３６、２つの補助カバー部材１８０，１８１、及び左右側から挿入された２つのヒンジモジュール１４０，１４１が、ヒンジ１０３を構成する。ヒンジモジュール１４０は、操作キー部分１０１を閉じた状態に弾性的に保持し、ヒンジモジュール１４１は、操作キー部分１０１を開いた状態に弾性的に保持する。ヒンジモジュール１４０、１４１が、ヒンジ１０３の軸を構成する。ヒンジ１０３はその略全体がマグネシウム製である。金属としてマグネシウムを使用している理由は、マグネシウムの重量は合成樹脂の重量の３倍であるけれども、マグネシウムの強度は合成樹脂の強度の５倍であり、機械的強度の向上を、重さをさほど増やさずに図ることができるからである。
【００４０】
よって、シャーシ組立体１１０は、操作キー部分用シャーシ１２０と液晶表示部分用シャーシ１３０とがヒンジ１０３によって連結されている構造である。
【００４１】
操作キー部分側プリント基板モジュール１５０は、枠部１３１より小さいサイズであり、上面に、ゴム板状のキーパッド１５５及びマイク１５６を有する。液晶表示部分側プリント基板モジュール１５１は、枠部１３６より小さいサイズであり、上面に液晶１５２、及びスピーカ１５３、下面に内部アンテナ１５７を有する。プリント基板モジュール１５０とプリント基板モジュール１５１とは、途中の箇所でループを形成しているフレキシブルケーブル１５４によって接続されている。フレキシブルケーブル１５４のループ部１５４ａは、上記のヒンジ１０３内に収まっている。
【００４２】
操作キー部分側下ケース部材１６０及び上ケース部材１６１は、枠部１２１より大きいサイズであり、合成樹脂の成形部品である。液晶表示部分側下ケース部材１７０及び上ケース部材１７１は、枠部１３１より大きい小さいサイズであり、合成樹脂の成形部品である。
【００４３】
操作キー部分１０１は、操作キー部分用シャーシ１２０の枠部１２１内に、プリント基板モジュール１５０をフランジ部１２７上に載せて仮り止めし、枠部１２１を覆うように下ケース部材１６０及び上ケース部材１６１を組み合わせ、下ケース部材１６０と上ケース部材１６１とをねじ１６２で止めることによって組み立てられる。枠部１２１及びプリント基板モジュール１５０は、共締めされている。枠部１２１は操作キー部分１０１の内部に収まっている。キートップ１５５ａが上ケース部材１６１の各開口１６１ａから露出している。
【００４４】
液晶表示部分１０２は、液晶表示部分用シャーシ１３０の枠部１３１内に、プリント基板モジュール１５１をフランジ部１３７上に載せて仮り止めし、枠部１３１を覆うように下ケース部材１７０及び上ケース部材１７１を組み合わせ、上ケース部材１７１と下ケース部材１７０とをねじ１７２で止めることによって組み立てられる。枠部１３１及びプリント基板モジュール１５１は、共締めされている。枠部１３１は液晶表示部分１０２の内部に収まっている。液晶１５２が上ケース部材１７１の透明窓１７１ａに露出している。内部アンテナ１５７は、プリント基板モジュール１５１と下ケース部材１７０との間の空間に設けてある。
【００４５】
よって、上記構造の折りたたみ型携帯電話機１００は、以下の特長を有する。
【００４６】
（１）折りたたみ型携帯電話機１００は、マグネシウム製のシャーシ組立体１１０を骨格とする構造であり、この骨格をなすマグネシウム製のシャーシ組立体１１０によって十分な機械的強度を有している。
【００４７】
（２）枠部１２１は下ケース部材１６０及び上ケース部材１６１によって覆われており、且つ、枠部１３１は下ケース部材１７０及び上ケース部材１７１によって覆われており、枠部１２１及び１３１は折りたたみ型携帯電話機１００の表面に露出していない。よって、マグネシウム製のダイキャスト部品である操作キー部分用シャーシ１２０のうち枠部１２１の部分及び液晶表示部分用シャーシ１３０のうち枠部１３１の部分については、表面の傷が問題とならない。よって、シャーシ１２０、１３０を金型から取り出したのち、枠部１２１及び１３１については外観仕上げ作業は必要ではなく、外観仕上げ作業は、折りたたみ型携帯電話機１００の表面に露出する円弧面状張り出し部１２６、１３６について行えば足り、よって、外観仕上げ作業は簡単で済む。また、面の荒れは、面が平面である場合に目だち易く、面が湾曲している場合には目だちにくい。円弧面状張り出し部１２６、１３６は湾曲した面であり、面の荒れは目だちにくく、よって、この点でも外観仕上げ作業は簡単で済み、外観不良品も発生しにくい。また、塗装は、円弧面状張り出し部１２６、１３６及びこの近傍に施せば足り、枠部１２１及び１３１については塗装は不要である。よって、シャーシ１２０、１３０は、外観仕上げ作業は簡単で済んで、且つ歩留まり良く製造される。この結果、折りたたみ型携帯電話機１００は、従来の折りたたみ型携帯電話機に比べて製造性が高く、製造コストも低い。
【００４８】
（３）液晶表示部分用シャーシ１３０は枠部１３１の形状であるため、内部アンテナ１５７を覆うことはなく、よって、内部アンテナ１５７の特性に対する影響は少ない。また、内部アンテナ１５７は液晶表示部分１０２側の内部に設けてあるため、通話時のキー操作等に伴って内部アンテナ１５７がユーザの手で覆われる可能性が少ない。よって、折りたたみ型携帯電話機１００は、内部アンテナ１５７の特性が従来の折りたたみ型携帯電話機に比べて良好である。
【００４９】
（４）操作キー部分１０１及び液晶表示部分１０２の表面は、共に合成樹脂の成形部品である下ケース部材１６０、１７０及び上ケース部材１６１、１７１によって形成してある。合成樹脂の成形部品は、外観精度が良く、且つ加色性も良い。よって、良好な外観を有する折りたたみ型携帯電話機１００を実現可能である。
【００５０】
〔第２実施例〕
図８（Ａ），（Ｂ）及び図９は、本発明の第２実施例になる折りたたみ型携帯電話機１００Ａの折りたたみ時及び広げた状態を示し、図１０は図８の折りたたみ型携帯電話機１００Ｂを分解して示す。図１１はシャーシとプリント基板モジュールとを対応させて示し、図１２はプリント基板モジュールが組み込んであるシャーシ組立体を分解して示す。
【００５１】
折りたたみ型携帯電話機１００Ａは、主に、図３に示す折りたたみ型携帯電話機１００とは、シャーシ組立体１１０Ａを異にする構成である。シャーシ組立体１１０Ａは、操作キー部分用シャーシ及び液晶表示部分用シャーシが共にシールド板部を一体に有する構成である。図８乃至図１２中、図３乃至図７に示す構成と同じ構成部分には同じ符号を付す。折りたたみ型携帯電話機１００Ａは、操作キー部分１０１Ａと液晶表示部分１０２Ａとがヒンジ１０３によって連結してある構成である。
【００５２】
シャーシ組立体１１０Ａは、図８乃至図１３に示すように、操作キー部分用シャーシ１２０Ａと、液晶表示部分用シャーシ１３０Ａとを組み合わせてなる構造である。図１１に示すように、操作キー部分用シャーシ１２０Ａは、四つの枠辺１２２、１２３Ａ、１２４、１２５よりなる枠部１２１Ａと、枠部１２１Ａの一つ枠辺１２５より枠部１２１の外側に突き出して形成してある円弧面状張り出し部１２６と、枠部１２１Ａの内側に突き出ている複数のフランジ部１２７と、枠部１２１の長手方向に延在して対向している枠辺１２２と枠辺１２４との間にまたがっているシールド板部１２８とよりなる。シールド板部１２８は、枠部１２１Ａの長手方向の寸法の約半分の長さであり、枠部１２１Ａの長手方向の中央の部分に設けてある。操作キー部分用シャーシ１２０Ａのうち、枠辺１２３Ａの側と、枠辺１２５の側は、開口窓１２９ａ，１２９ｂとなっている。枠辺１２３Ａには、Ｉ／Ｆコネクタ１５８用の開口１２３Ａａが形成してある。
【００５３】
液晶表示部分用シャーシ１３０Ａも、操作キー部分用シャーシ１２０Ａと同じく、四つの枠枠辺１３２〜１３５よりなる枠部１３１と、枠部１３１の一つ枠辺１３５より枠部１３１の外側に突き出して形成してある円弧面状張り出し部１３６と、枠部１３１の内側に突き出ている複数のフランジ部１３７と、枠部１３１の長手方向に延在して対向している枠辺１３２と枠辺１３４との間にまたがっているシールド板部１３８とよりなる。液晶表示部分用シャーシ１３０Ａのうち、枠辺１３３の側と、枠枠辺１３５の側は、開口窓１３９ａ，１３９ｂとなっている。シャーシ組立体１１０Ａは、操作キー部分用シャーシ１２０Ａと液晶表示部分用シャーシ１３０Ａとがヒンジ１０３によって連結されている構造である。
【００５４】
プリント基板モジュール１５０Ａは、図６に示すプリント基板モジュール１５０に、Ｉ／Ｆコネクタ１５８及びジャック１５９が追加してある構成である。
【００５５】
図９、図１０、図１１に示すように、操作キー部分１０１Ａは、操作キー部分用シャーシ１２０Ａの枠部１２１Ａにプリント基板モジュール１５０Ａが載って固定してあり、下ケース部材１６０Ａと上ケース部材１６１とがプリント基板モジュール１５０Ａを覆って枠部１２１Ａに固定してある構成である。フランジ１２７がプリント基板モジュール１５０のグランドパターン（図示せず）と電気的に接続されている。プリント基板モジュール１５０Ａのうち中央の部分は、シールド板部１２８によって覆われ、プリント基板モジュール１５０のグランドパターン（図示せず）と上記シールド板部１２８とに挟まれた空間内に収まっており、シールドされている。
【００５６】
同じく図９、図１０、図１１に示すように、液晶表示部分１０２Ａは、液晶表示部分用シャーシ１３０Ａの枠部１３１にプリント基板モジュール１５１が載って固定してあり、下ケース部材１７０と上ケース部材１７１とがプリント基板モジュール１５１を覆って枠部１３１に固定してある構成である。フランジ１３７がプリント基板モジュール１５１のグランドパターン（図示せず）と電気的に接続されている。プリント基板モジュール１５１Ａのうち中央の部分は、シールド板部１３８によって覆われ、プリント基板モジュール１５１のグランドパターン（図示せず）とシールド板部１３８とによって挟まれた空間内に収まっており、シールドされている。なお、シールド板部は覆うべき基板モジュールの部分に合わせた形状にすることが好ましい。従って、シールド板部を設ける位置も前に、中央に限らない。
【００５７】
よって、上記構造の折りたたみ型携帯電話機１００Ａは、前記の折りたたみ型携帯電話機１００の上記の特徴に加えて、以下の特長を有する。
【００５８】
（１）操作キー部分用シャーシ１２０Ａはシールド板部１２８を一体に有し、且つ、液晶表示部分用シャーシ１３０Ａはシールド板部１３８を一体に有するため、プリント基板モジュール１５０Ａ、１５１を覆う独立した部材であるシールド板部材が不要である。
【００５９】
〔第３実施例〕
図１３（Ａ），（Ｂ）及び図１４は、本発明の第３実施例になる折りたたみ型携帯電話機１００Ｂの折りたたみ時及び広げた状態を示し、図１５は図１３の折りたたみ型携帯電話機１００Ｂを分解して示す。図１６はシャーシとプリント基板モジュールとを対応させて示し、図１７はプリント基板モジュールが組み込んであるシャーシ組立体を分解して示す。
【００６０】
折りたたみ型携帯電話機１００Ｂは、操作キー部分用シャーシ及び液晶表示部分用シャーシの長さを短くして、内部アンテナ１５７の特性の改善を図った構成であり、図３に示す折りたたみ型携帯電話機１００とは、シャーシ組立体を異にする構成である。シャーシ組立体１１０Ｂは、操作キー部分用シャーシ及び液晶表示部分用シャーシが共に、プリント基板モジュールの長さより短く、且つシールド板部を一体に有する構成である。図１３乃至図１７中、図３乃至図７、図８乃至図１２に示す構成と同じ構成部分には同じ符号を付す。折りたたみ型携帯電話機１００Ｂは、操作キー部分１０１Ａと液晶表示部分１０２Ａとがヒンジ１０３によって連結してある構成である。
【００６１】
シャーシ組立体１１０Ｂは、図１３乃至図１７に示すように、操作キー部分用シャーシ１２０Ｂと、液晶表示部分用シャーシ１３０Ｂとを組み合わせてなる構造である。操作キー部分用シャーシ１２０Ｂは、プリント基板モジュール１５０Ａの長さＬ１の約２／３の長さＬ２を有し、四つの枠辺１２２Ｂ〜１２５Ｂよりなる略方形状の枠部１２１Ｂと、枠部１２１Ｂの一つ枠辺１２５Ｂより枠部１２１Ｂの外側に突き出して形成してある円弧面状張り出し部１２６と、枠部１２１Ｂの内側に突き出ている複数のフランジ部１２７と、枠部１２１Ｂのうち先端側の約２／３の部分を覆うシールド板部１２８とよりなる。
【００６２】
液晶表示部分用シャーシ１３０Ｂも、操作キー部分用シャーシ１２０Ｂと同じく、プリント基板モジュール１５１の長さＬ３の約２／３の長さＬ４を有し、四つの枠辺１３２Ｂ〜１３５Ｂよりなる略方形状の枠部１３１Ｂと、枠部１３１Ｂの一つ枠辺１３５Ｂより枠部１３１Ｂの外側に突き出して形成してある円弧面状張り出し部１３６と、枠部１３１Ｂの内側に突き出ている複数のフランジ部１３７と、枠部１３１Ｂのうち先端側の約２／３の部分を覆うシールド板部１３８とよりなる。シャーシ組立体１１０Ｂは、操作キー部分用シャーシ１２０Ｂと液晶表示部分用シャーシ１３０Ｂとがヒンジ１０３によって連結されている構造である。
【００６３】
図１４，図15、図１６に示すように、操作キー部分１０１Ｂは、操作キー部分用シャーシ１２０Ｂの枠部１２１Ｂにプリント基板モジュール１５０Ａが載って固定してあり、下ケース部材１６０Ａと上ケース部材１６１とがプリント基板モジュール１５０Ａを覆って枠部１２１Ｂ固定してある構成である。フランジ１２７がプリント基板モジュール１５０のグランドパターン（図示せず）と電気的に接続されている。プリント基板モジュール１５０Ａのうち中央の部分は、シールド板部１２８によって覆われ、プリント基板モジュール１５０のグランドパターン（図示せず）と上記シールド板部１２８とに挟まれた空間内に収まっており、シールドされている。
【００６４】
同じく図１４，図15、図１６に示すように、液晶表示部分１０２Ａは、液晶表示部分用シャーシ１３０Ａの枠部１３１Ａにプリント基板モジュール１５１が載って固定してあり、下ケース部材１７０と上ケース部材１７１とがプリント基板モジュール１５１を覆って枠部１３１Ｂに固定してある構成である。フランジ１３７がプリント基板モジュール１５１のグランドパターン（図示せず）と電気的に接続されている。プリント基板モジュール１５１Ａのうち中央の部分は、シールド板部１３８によって覆われ、プリント基板モジュール１５１のグランドパターン（図示せず）とシールド板部１３８とによって挟まれた空間内に収まっており、シールドされている。
【００６５】
よって、上記構造の折りたたみ型携帯電話機１００Ｂは、前記の折りたたみ型携帯電話機１００、１００Ａの上記の特長に加えて、以下の特長を有する。
【００６６】
（１）液晶表示部分用シャーシ１３０Ｂの長さＬ４はプリント基板モジュール１５１の長さＬ３より短く、よって、内部アンテナ１５７は液晶表示部分用シャーシ１３０Ｂの外側の位置に配してある。よって、内部アンテナ１５７は液晶表示部分用シャーシ１３０Ｂから遠く離れており、開いている通話時に、液晶表示部分用シャーシ１３０Ｂによる影響は受けない。また、閉じてある携帯時についてみると、操作キー部分用シャーシ１２０Ｂはプリント基板モジュール１５０Ｂより短いため、内部アンテナ１５７は操作キー部分用シャーシ１２０Ｂからも遠く離れている。よって、携帯時にも、内部アンテナ１５７は操作キー部分用シャーシ１２０Ｂによる影響は受けない。よって、折りたたみ型携帯電話機１００Ｂは、図３の折りたたみ型携帯電話機１００に比べて、内部アンテナ１５７の特性が改善されている。
【００６７】
〔第４実施例〕
図１８（Ａ），（Ｂ）及び図１９は、本発明の第４実施例になる折りたたみ型携帯電話機１００Ｃの折りたたみ時及び広げた状態を示し、図２０は図１８の折りたたみ型携帯電話機１００Ｃを分解して示す。図２１はシャーシとモジュールとを対応させて示し、図２２はプリント基板モジュールが組み込んであるシャーシ組立体を分解して示す。
【００６８】
折りたたみ型携帯電話機１００Ｃは、液晶表示部分用シャーシの長さを短くした構成であり、図８に示す折りたたみ型携帯電話機１００Ａの操作キー部分１０１Ａと、図１３に示す折りたたみ型携帯電話機１００Ｂの液晶表示部分１０２Ｂとがヒンジ１０３によって連結してある構成である。図１８乃至図２２中、図８乃至図１２、図１３乃至図１７に示す構成と同じ構成部分には同じ符号を付す。  内部アンテナ１５７は液晶表示部分用シャーシ１３０Ｂの外側の位置に配してある。よって、内部アンテナ１５７は良好な特性を有する。
【００６９】
〔第５実施例〕
図２３（Ａ），（Ｂ）は、本発明の第５実施例になる折りたたみ型携帯電話機１００Ｄの折りたたみ時及び広げた状態を示し、図２４は図２３の折りたたみ型携帯電話機１００Ｃを分解して示す。図２５はシャーシとモジュールとを対応させて示し、図２６はプリント基板モジュールが組み込んであるシャーシ組立体を分解して示す。
【００７０】
折りたたみ型携帯電話機１００Ｄは、図３に示す折りたたみ型携帯電話機１００の変形例であり、操作キー部分用シャーシ及び液晶表示部分用シャーシの長手方向の枠辺が外部に露出するようにして、ユーザに帯電している静電気を折りたたみ型携帯電話機１００Ｄのグランドに逃がすようにして、補強のための操作キー部分用シャーシ及び液晶表示部分用シャーシを利用して静電気対策を図った構造である。
【００７１】
折りたたみ型携帯電話機１００Ｄは、図３に示す折りたたみ型携帯電話機１００とは、主にシャーシ組立体を異にする構成である。シャーシ組立体１１０Ｄは、操作キー部分１２０Ｄと液晶表示部分用シャーシ１３０Ｄとを有する。操作キー部分１２０Ｄの枠部１２１Ｄは、長手方向に延在する枠辺１２２、１２４の外側面に長手方向に延在するリブ１２２Ｄａ、１２４Ｄａを有する構成である。液晶表示部分用シャーシ１３０Ｄの枠部１３１Ｄは、長手方向に延在する枠辺１３２、１３４の外側面に長手方向に延在するリブ１３２Ｄａ、１３４Ｄａを有する構成である。リブ１２２Ｄａ、１２４Ｄａ及び１３２Ｄａ、１３４Ｄａの頂上部は、メッキ等の導通可能の表面処理が施してある。
【００７２】
操作キー部分１０１Ｄは、操作キー部分用シャーシ１２０Ｄの枠部１２１Ｄにプリント基板モジュール１５０が載って固定してあり、下ケース部材１６０Ｄと上ケース部材１６１Ｄとがプリント基板モジュール１５０を覆って枠部１２１Ｄに固定してある構成である。フランジ１２７がプリント基板モジュール１５０のグランドパターン（図示せず）と接触してあり、枠部１２１Ｄとプリント基板モジュール１５０のグランドパターン（図示せず）とは電気的に接続されている。下ケース部材１６０Ｄ及び上ケース部材１６１Ｄは、長手方向に沿う両側の側面に、上記のリブ１２２Ｄａ、１２４Ｄａに合うように、浅くて長い切欠部１６０Ｄａ，１６０Ｄｂ，１６１Ｄａ，１６１Ｄｂを有する。操作キー部分１０１Ｄは、図２３（Ａ），（Ｂ）に示すように、両側の側面にその略全長に亘ってリブ１２２Ｄａ、１２４Ｄａが露出してある構成である。
【００７３】
液晶表示部分１０１Ｄは、液晶表示部分用シャーシ１３０Ｄの枠部１３１Ｄにプリント基板モジュール１５１が載って固定してあり、下ケース部材１７０Ｄと上ケース部材１７１Ｄとがプリント基板モジュール１５１を覆って枠部１３１Ｄに固定してある構成である。フランジ１３７がプリント基板モジュール１５１のグランドパターン（図示せず）と接触してあり、枠部１３１Ｄとプリント基板モジュール１５１のグランドパターン（図示せず）とは電気的に接続されている。下ケース部材１７０Ｄ及び上ケース部材１７１Ｄは、長手方向に沿う両側の側面に、上記のリブ１３２Ｄａ、１３４Ｄａに合うように、浅くて長い切欠部１７０Ｄａ，１７０Ｄｂ，１７１Ｄａ，１７１Ｄｂを有する。液晶表示部分１０２Ｄは、図２３（Ａ），（Ｂ）に示すように、両側の側面にその略全長に亘ってリブ１３２Ｄａ、１３４Ｄａが露出してある構成である。
【００７４】
よって、上記構造の折りたたみ型携帯電話機１００Ｄは、前記の折りたたみ型携帯電話機１００が有する特長に加えて、以下の特長を有する。
【００７５】
（１）ユーザが折りたたみ型携帯電話機１００Ｄを手で持ったときに、ユーザの手は最初にリブ１２２Ｄａ、１２４Ｄａ、１３２Ｄａ、１３４Ｄａに接触する。これによって、ユーザに静電気が帯電している場合に、静電気は枠部１３０Ｄ、１３１Ｄを介してプリント基板モジュール１５０、１５１のグランドパターン（図示せず）に逃がされる。よって、プリント基板モジュール１５０、１５１の電子回路に静電気の電流が流れることが回避され、プリント基板モジュール１５０、１５１の電子回路が保護される。
【００７６】
（２）リブ１２２Ｄａ、１２４Ｄａ、１３２Ｄａ、１３４Ｄａが操作キー部分１０１Ｄ及び液晶表示部分１０２Ｄの両側の側面の中央に露出し、デザイン上のアクセントとなり、折りたたみ型携帯電話機１００Ｄは目立ってデザイン上良好である。
【００７７】
〔第６実施例〕
図２７（Ａ），（Ｂ）は、本発明の第６実施例になる折りたたみ型携帯電話機１００Ｆの折りたたみ時及び広げた状態を示し、図２８は折りたたみ型携帯電話機１００Ｅの断面を示す。図２９は図２７の折りたたみ型携帯電話機１００Ｅを分解して示す。図３０はシャーシとモジュールとを対応させて示し、図３１はプリント基板モジュールが組み込んであるシャーシ組立体を分解して示す。
【００７８】
折りたたみ型携帯電話機１００Ｅは、図３に示す折りたたみ型携帯電話機１００の別の変形例であり、シャーシ組立体を最小の大きさとしたものである。シャーシ組立体１１０Ｅは、図３０及び図３１に示すように、操作キー部分用シャーシ１２０Ｆと液晶表示部分用シャーシ１３０Ｆとがヒンジ１０３によって連結されている構造である。
【００７９】
操作キー部分用シャーシ１２０Ｅは、三の枠辺１２２Ｅ、１２４Ｅ、１２５よりなる略Ｕ字形状のフレーム部１２１Ｅと、フレーム部１２１Ｅの一つ枠辺１２５よりフレーム部１２１Ｅの外側に突き出して形成してある円弧面状張り出し部１２６と、フレーム部１２１Ｅの内側に突き出ている左右側のフランジ部１２７Ｅとよりなる。枠辺１２２Ｅ、１２４Ｅは、フランジ部１２７Ｅの大きさに対応する長さＬ１０を有し、短い。長さＬ１０はプリント基板モジュール１５０Ａの端部側を支持する長さである。フランジ部１２７Ｅは、頭付きピン１２７Ｅａを有する。
【００８０】
液晶表示部分用シャーシ１３０Ｅは、三の枠辺１３２Ｅ、１３４Ｅ，１３５よりなる略Ｕ字形状のフレーム部１３１Ｅと、フレーム部１３１Ｅの一つ枠辺１３５より枠部１３２１Ｅの外側に突き出して形成してある円弧面状張り出し部１３６と、枠部１３１Ｅの内側に突き出ている左右側のフランジ部１３７Ｅとよりなる。枠辺１３２Ｅ、１３４Ｅは、フランジ部１３７Ｅの大きさに対応する長さＬ１１を有し、短い。長さＬ１１はプリント基板モジュール１５１Ａの端部側を支持する長さである。フランジ部１３７Ｅは、頭付きピン１３７Ｅａを有する。
【００８１】
図２８（Ａ），（Ｂ）、図３０及び図３１に示すように、プリント基板モジュール１５０Ｅは、一端側の部分がフランジ部１２７Ｅに載っており、溝部１５０Ｅａが頭付きピン１２７Ｅａに嵌合し頭部１２７Ｅｂによって押さえられた状態にある。別のプリント基板モジュール１５１Ｅは、一端側の部分がフランジ部１３７Ｅに載っており、溝部１５１Ｅａが頭付きピン１３７Ｅａに嵌合し頭部１３７Ｅｂによって押さえられた状態にある。操作キー部分１０１Ｅは、ヒンジ１０３に近い側については、下ケース部材１６０と上ケース部材１６１とがプリント基板モジュール１５０Ｅと共に略Ｕ字形状の枠部１２１Ｅにねじ止め固定してあり、ヒンジ１０３より遠い側については、下ケース部材１６０と上ケース部材１６１とがプリント基板モジュール１５０Ｅを挟んでねじ止めしてある構成である。液晶表示部分１０２Ｅは、ヒンジ１０３に近い側については、下ケース部材１７０と上ケース部材１７１とがプリント基板モジュール１５１Ｅと共に略Ｕ字形状の枠部１３１Ｅにねじ止め固定してあり、ヒンジ１０３より遠い側については、下ケース部材１７０と上ケース部材１７１とがプリント基板モジュール１５１Ｅを挟んでねじ止めしてある構成である。
【００８２】
上記の折りたたみ型携帯電話機１００Ｅは、シャーシ組立体１１０Ｅが小さいサイズであるため、図３の折りたたみ型携帯電話機１００に比べて、製造コストが安価であり、且つ、軽量である。シャーシ組立体１１０Ｅは、ヒンジ１０３を有するため、折りたたみ型携帯電話機１００Ｅは十分な機械的強度を有する。
【００８３】
〔第７実施例〕
図３２（Ａ）、図３３（Ａ）及び図３７（Ａ）、（Ｂ）は本発明の第７実施例になる折りたたみ型携帯電話機１００Ｆの携帯時の折りたたまれている状態を示し、図３２（Ｂ）、図３３（Ｂ）及び図３８（Ａ）は通話時の開いた状態を示す。図３３（Ｃ）及び図３８（Ｂ）、（Ｃ）は通話時の状態よりも更に開かれた状態を示す。図３４は図３２の折りたたみ型携帯電話機１００Ｆを分解して示す。
【００８４】
折りたたみ型携帯電話機１００Ｆは、図１３に示す折りたたみ型携帯電話機１００Ｂの変形例的なものであり、ヒンジ及びシャーシがマグネシウムダイキャスト製であり、合成樹脂製のケース部材はシャーシ覆い部とヒンジ覆い部とを有する構成であり、合成樹脂製のケース部材がシャーシを覆うと共にヒンジを覆う構成である。折りたたみ型携帯電話機１００Ｆは、合成樹脂製のケース部材がシャーシを覆うと共にヒンジを覆う構成が特徴である。
【００８５】
合成樹脂製のケース部材がシャーシに加えてヒンジまでも覆う構成とするために、
合成樹脂製のケース部材については、ヒンジ覆い部を有する形状とし、
シャーシ組立体については、シャーシと一体のリング部と相手側のシャーシとの間に、ヒンジ覆い部が入り込む広さの隙間を有する構成としてある。また、デザインを損なわないようにするために、シャーシと一体のリング部の径を小さくしてある。
【００８６】
折りたたみ型携帯電話機１００Ｆは、図３２、図３３、図３７及び図３８に示すように、操作キー筐体１０１Ｆと液晶表示筐体１０２Ｆとがヒンジ１０３Ｆによって連結してある構成である。折りたたみ型携帯電話機１００Ｆは、分解して示すと、図３４に示すように、本体２００と、合成樹脂製の下ケース部材１６０Ｆ、１７０Ｆ及び上ケース部材１６１Ｆ、１７１Ｆとを有する。Ｙ１−Ｙ２は折りたたみ型携帯電話機１００Ｆの長手方向、Ｘ１−Ｘ２は折りたたみ型携帯電話機１００Ｆの幅方向、Ｚ１−Ｚ２は折りたたみ型携帯電話機１００Ｆの厚さ（高さ）方向である。
【００８７】
先ず、本体２００について説明する。
【００８８】
本体２００は、操作キー部分２０１と液晶表示部分２０２と両者をつなぐヒンジ本体部２０３とよりなる構成である。
【００８９】
本体２００は、図３５に示すように、シャーシ組立体１１０と、操作キー部分側プリント基板モジュール１５０Ｆと、液晶表示部分側プリント基板モジュール１５１Ｆとを有する。
【００９０】
シャーシ組立体１１０は、図３６に示すように、マグネシウムダイキャスト製の操作キー部分用シャーシ１２０Ｆと、マグネシウムダイキャスト製の液晶表示部分用シャーシ１３０Ｆと、カムを利用したクリックロック機構（図示せず）及び開く方向に付勢するばね（図示せず）が組み込まれている軸モジュール２１０と、オイルダンパ（図示せず）が組み込まれている軸モジュール２１１とよりなる構成である。
【００９１】
操作キー部分用シャーシ１２０Ｆは、シャーシ部２２０と、シャーシ部２２０のＹ１方向の端縁２２０ａのＸ１−Ｘ２の両側から突き出しているリング部２２１、２２２とを有する。リング部２２１、２２２の間は、空間２２３である。
【００９２】
液晶表示部分用シャーシ１３０Ｆは、シャーシ部２３０を有し、且つこのシャーシ部２３０のＹ２方向の端縁２３０ａに、Ｘ２側からＸ１側に向かって、順に、円弧面部２３１、リング部２３２、リング部２３４、円弧面部２３５を有する。
【００９３】
操作キー部分用シャーシ１２０Ｆと液晶表示部分用シャーシ１３０Ｆとが組み合わされると、リング部２３２がリング部２２１の内側に位置し、リング部２２１とリング部２３２とがＸ２側から圧入された軸モジュール２１０によって回動可能に連結され、且つ、リング部２３４がリング部２２２の内側に位置し、リング部２２２とリング部２３４とがＸ１側から圧入された軸モジュール２１１によって回動可能に連結される。
【００９４】
ヒンジ本体部２０３は、以下の構造を有する。リング部２２１とリング部２３２とが軸モジュール２１０によって回動可能に連結され、且つ、リング部２２２とリング部２３４とが軸モジュール２１１によって回動可能に連結されている。図３５に示すように、リング部２２１と円弧面部２３１とが対向し、リング部２３２と端縁２２０ａとが対向し、リング部２３４と端縁２２０ａとが対向し、リング部２２２と円弧面部２３５とが対向する。リング部２２１と円弧面部２３１との間には、図３５中の断面図に示すように、合成樹脂製のケース部材のヒンジ覆い部が入り込む広さ（幅ｗが約１ｍｍ）の隙間２４０が形成してある。リング部２３２と端縁２２０ａとの間にも、隙間２４１が形成してある。リング部２３４と端縁２２０ａとの間にも、隙間２４２が形成してある。リング部２２２と円弧面部２３５との間にも、隙間２４３が形成してある。各隙間２４１、２４２，２４３は、上記隙間２４０と同じ広さである。
【００９５】
リング部２３２とリング部２３４との間は、空間２４４であり、フレキシブルケーブル１５４Ｆの配線に利用される。
【００９６】
２０３ａはヒンジ本体部２０３のＸ２方向側の端面、２０３ｂはヒンジ本体部２０３のＸ１方向側の端面である。
【００９７】
操作キー部分側プリント基板モジュール１５０Ｆと液晶表示部分側プリント基板モジュール１５１Ｆとは、途中の箇所でループを形成しているフレキシブルケーブル１５４Ｆによって接続されている。第３実施例と同じく、プリント基板モジュール１５０Ｆはシャーシ部２２０に固定してあり、プリント基板モジュール１５１Ｆはシャーシ部２３０に固定してあり、フレキシブルケーブル１５４Ｆのループ部１５４Ｆａは、上記ヒンジ本体部２０３の空間２４４内に収まっている。
【００９８】
前記の操作キー部分２０１は、シャーシ部２２０と操作キー部分側プリント基板モジュール１５０Ｆとよりなる。液晶表示部分２０２は、シャーシ部２３０と液晶表示部分側プリント基板モジュール１５１Ｆとよりなる。
【００９９】
次に、合成樹脂製のケース部材について説明する。
【０１００】
下ケース部材１６０Ｆと上ケース部材１６１Ｆとが対をなし、下ケース部材１７０Ｆと上ケース部材１７１Ｆとが対をなす。
【０１０１】
下ケース部材１６０Ｆ及び上ケース部材１６１Ｆは、操作キー部分２０１を覆う浅い箱形状のシャーシ覆い部２５０、２６０と、シャーシ覆い部２５０、２６０のＹ１方向の端よりＹ１方向に半円弧状に延びているヒンジ覆い部２５１，２５２，２５３、２６１，２６２，２６３と、シャーシ覆い部２５０、２６０のＸ２及びＸ１方向の端よりＹ１方向に延びている略半円形状のヒンジ端覆い部２５４，２５５，２６４，２６５とを有する。ヒンジ端覆い部２５４，２５５，２６４，２６５は、夫々ヒンジ覆い部２５１，２５３、２６１、２６３とつながっており、角部を覆うキャップ形状となっている。ヒンジ覆い部２５１と２６１、２５２と２６２、２５３と２６３が夫々対をなし、組合わされてリングを形成する。
【０１０２】
２５６は、シャーシ覆い部２５０のＹ１方向端の壁部であり、Ｘ−Ｚ面内に位置している。２５７はスリットであり、壁部２５６のうちＺ２方向の端の箇所にＸ１−Ｘ２方向に延びて形成してあり、壁部２５６がＹ２方向に弓形に撓み易くなっている。即ち、壁部２５６が合成樹脂製の板バネとして機能するようになっている。
【０１０３】
下ケース部材１７０Ｆ及び上ケース部材１７１Ｆは、液晶表示部分２０２を覆う浅い箱形状のシャーシ覆い部２７０、２８０と、シャーシ覆い部２７０、２８０のＹ２方向の端よりＹ２方向に半円弧状に延びているヒンジ覆い部２７１，２７２，２８１、２８２とを有する。ヒンジ覆い部２７１と２８１、２７２と２８２が夫々対をなし、組合わされてリングを形成する。
【０１０４】
２７３は、シャーシ覆い部２７０のＹ２方向の端の壁部であり、Ｘ１−Ｘ２方向の中央部がＹ２方向に突き出すように湾曲してある。
【０１０５】
次に、合成樹脂製のケース部材１６０Ｆ、１７０Ｆ、１６１Ｆ、１７１Ｆを本体２００に取り付けた状態について説明する
先ず、上下の位置関係で組み合わされたケース部材１６０Ｆとケース部材１６１Ｆとについて説明する。
【０１０６】
図３２（Ａ）、（Ｂ）、図３３（Ａ）、（Ｂ）、図３７（Ａ）及び図３８（Ａ）に示すように、シャーシ覆い部２５０とシャーシ覆い部２６０とが操作キー部分２０１を覆う。ヒンジ覆い部２５１とヒンジ覆い部２６１とは、上記の隙間２４０に入り込み、先端部が突き合されてリング状となり、リング部２２１を取り囲んで覆う。ヒンジ覆い部２５３とヒンジ覆い部２６３とは、上記の隙間２４３に入り込み、先端部が突き合されてリング状となり、リング部２２２を取り囲んで覆う。ヒンジ覆い部２５２とヒンジ覆い部２６２とは、上記の空間２４４内で先端部が突き合されてリング状となり、フレキシブルケーブル１５４Ｆのうちプリント基板モジュール１５０Ｆに接続されている側の部分１５４Ｆｂと、ループ部１５４Ｆａの一部を覆う。
【０１０７】
ヒンジ端覆い部２５４及び２６４は、突きあわされて、ヒンジ本体部２０３のＸ２方向側の端面２０３ａを覆う。ヒンジ端覆い部２５５及び２６５は、突きあわされて、ヒンジ本体部２０３のＸ１方向側の端面２０３ｂを覆う。
【０１０８】
次に、上下の位置関係で組み合わされたケース部材１７０Ｆとケース部材１７１Ｆとについて説明する。
【０１０９】
図３２（Ａ）、（Ｂ）、図３３（Ａ）、（Ｂ）、図３７（Ａ）及び図３８（Ａ）に示すように、シャーシ覆い部２７０とシャーシ覆い部２８０とが液晶表示部分２０２を覆う。ヒンジ覆い部２７２とヒンジ覆い部２８２とは、上記の隙間２４２に入り込み、先端部が突き合されてリング状となり、リング部２３４を取り囲んで覆う。ヒンジ覆い部２５３とヒンジ覆い部２６３とは、上記の隙間２４３に入り込み、先端部が突き合されてリング状となり、リング部２２２を取り囲んで覆う。ヒンジ覆い部２５２とヒンジ覆い部２６２とは、上記の空間２４４のうち空いている部分で、先端部が突き合されてリング状となり、フレキシブルケーブル１５４Ｆのうちプリント基板モジュール１５１Ｆに接続されている側の部分１５４Ｆｃと、ループ部１５４Ｆａの一部を覆う。
【０１１０】
よって、合成樹脂製のケース部材１６０Ｆ、１７０Ｆ、１６１Ｆ、１７１Ｆによって、本体２００の全体が覆われた状態、即ち、操作キー部分２０１及び液晶表示部分２０２に加えてヒンジ本体部２０３が覆われた状態となっている。
【０１１１】
折りたたみ型携帯電話機１００Ｆは、操作キー筐体１０１Ｆ及び液晶表示筐体１０２Ｆは勿論、ヒンジ１０３Ｆも合成樹脂製のケース部材１６０Ｆ、１７０Ｆ、１６１Ｆ、１７１Ｆによって覆われた構造を有する。
【０１１２】
上記の折りたたみ型携帯電話機１００Ｆは、携帯時には、図３２（Ａ）、図３３（Ａ）及び図３７（Ａ）、（Ｂ）に示すように液晶表示筐体１０２Ｆが操作キー筐体１０１Ｆに対して折りたたまれ、その状態に軸モジュール２１０内のクリックロック機構（図示せず）によってクリック的にロックされている。通話するときには、図３２（Ｂ）、図３３（Ｂ）及び図３８（Ａ）に示すように液晶表示筐体１０２Ｆが操作キー筐体１０１Ｆに対して約１６０度に開かれ、その状態に軸モジュール２１０内のクリックロック機構（図示せず）によってクリック的にロックされる。合成樹脂製のケース部材１６０Ｆ、１７０Ｆ、１６１Ｆ、１７１Ｆによって覆われた構造のヒンジ１０３Ｆは、干渉せずに正常に動く。
【０１１３】
次に、通話するときの状態の折りたたみ型携帯電話機１００Ｆに誤って更に開く方向の強い力を作用させたときの動作について説明する。
【０１１４】
例えば、通話するときの状態の折りたたみ型携帯電話機１００Ｆがテーブル上に載っている場合に、かばん等の重い物を折りたたみ型携帯電話機１００Ｆの上に載せたときに、折りたたみ型携帯電話機１００Ｆに更に開く方向の強い力が作用される。
【０１１５】
通話時の開き状態では、図３８（Ａ）に示すように、シャーシ覆い部２７０のＹ２方向の端の壁部２７３とシャーシ覆い部２５０のＹ１方向端の壁部２５６とが丁度当接している。
【０１１６】
上記の強い力が作用されると、図３３（Ｃ）及び図３８（Ｂ）、（Ｃ）に示すように、シャーシ覆い部２７０のＹ２方向の端の壁部２７３が、シャーシ覆い部２５０のＹ１方向端の壁部２５６をＹ２方向に押し、壁部２５６がＹ２方向に押し込まれて凹んで弓形に弾性的に撓まされる。即ち、壁部２５６が凹んで弓形に撓まされることによって、折りたたみ型携帯電話機１００Ｆは、１８０度強制開き状態となる。
【０１１７】
上記の場合において、かばん等の重い物を取り除くと、弓形に弾性的に撓まされている壁部２５６が復元し、壁２７３が押し戻され、折りたたみ型携帯電話機１００Ｆは、通話するときの状態の開き状態に戻される。
【０１１８】
ここで、スリット２５７が形成されていることによって、壁部２５６が合成樹脂製の板バネとして機能するようになっている。且つ、壁部２７３は中央部がＹ２方向に突き出すように湾曲しており、壁部２５６の中央を押すようになっている。これによって、壁部２５６は弓形に撓まされ易くなっている。なお、スリット２５７を有しない構造であってもよい。
【０１１９】
上記構造の折りたたみ型携帯電話機１００Ｆは、図１３に示す折りたたみ型携帯電話機１００Ｂが有する特長に、加えて以下の特長を有する。
（１）  合成樹脂製のケース部材１６０Ｆ、１７０Ｆ、１６１Ｆ、１７１Ｆによって、操作キー部分２０１及び液晶表示部分２０２に加えてヒンジ本体部２０３が覆われており、ヒンジ本体部２０３は合成樹脂製のケース部材１６０Ｆ、１７０Ｆ、１６１Ｆ、１７１Ｆによって隠されて折りたたみ型携帯電話機１００Ｆの表面に露出していない。よって、マグネシウム製のダイキャスト部品である操作キー部分用シャーシ１２０Ｆ及び液晶表示部分用シャーシ１３０Ｆは、表面の傷が問題とならない。よって、シャーシ１２０Ｆ、１３０Ｆを金型から取り出したのち、外観仕上げ作業は必要ではない。塗装も不要である。よって、シャーシ１２０Ｆ、１３０Ｆは、外観仕上げ作業は簡単で済んで、且つ歩留まり良く製造される。この結果、折りたたみ型携帯電話機１００Ｆは、図１３に示す折りたたみ型携帯電話機１００Ｂに比べて製造性が高く、製造コストも低い。
（２）  ヒンジ本体部２０３の端面２０３ａ、２０３ｂは、ケース部材１６０Ｆ、１６１Ｆの一部であるヒンジ端覆い部２５４、２６４、２５５及び２６５によって覆われており、従来使用されていたヒンジの端面を覆うための専用のカバー部材は不要である。
（３）  通話時の開き状態と１８０度強制開き状態との間の回動が、合成樹脂製のケース部材１６０Ｆの壁部２５６の弾性的撓みを利用して可能となっているため、通話時の開き状態と１８０度強制開き状態との間の回動を可能とするための機構をヒンジの内部に組み込む必要がなく、ヒンジの構造が簡単となっている。
（４）  ヒンジの構造が簡単となっていることに関連して、ヒンジ本体部２０３は径ｄが細くなっており、合成樹脂製のケース部材１６０Ｆ、１７０Ｆ、１６１Ｆ、１７１Ｆによってヒンジ本体部２０３が覆われているけれども、径は従来と同じであり、よって、折りたたみ型携帯電話機１００Ｆは良好なデザインとなっている。
【０１２０】
次に、強制開き・通話時の開き状態への復元に関連する機構の変形例について説明する。
【０１２１】
各変形例は合成樹脂製のケース部材１６０Ｆの壁部２５６の復帰性を高めた構成である。第１乃至第３の変形例は、板バネ部材を組込んだ構成、第４の変形例は圧縮コイルバネを組込んだ構成、第５及び第６の変形例は、別ピースをバネと共に組込んだ構成である。
［第１の変形例］
図３９（Ａ）に示すように、合成樹脂製のケース部材１６０Ｆの壁部２５６の内側に金属製のＵ字形状の板バネ部材３００が組み込まれている。折りたたみ型携帯電話機１００Ｆが力を作用されて強制的に開かれると、図３９（Ｂ）、（Ｃ）に示すように、壁部２５６が凹まされると共に板バネ部材３００が変形される。力の作用が解除されると、板バネ部材３００のばね力でもって、液晶表示筐体１０２Ｆが通話時の位置に戻される。
［第２の変形例］
上記第１の変形例における板バネ部材３００に代えて、図４０（Ａ）に示すように、金属製の波形状の板バネ部材３０１が組み込まれている。板バネ部材３０１は図４０（Ｂ）、（Ｃ）に示すように変形される。
［第３の変形例］
上記第１の変形例における板バネ部材３００に代えて、図４１（Ａ）に示すように、Ｘ１―Ｘ２方向に長い金属製の板バネ部材３０２が組み込まれている。板バネ部材３０２は図４１（Ｂ）、（Ｃ）に示すように変形される。
［第４の変形例］
上記第１の変形例における板バネ部材３００に代えて、図４２（Ａ）に示すように、圧縮コイルバネ３０３が組み込まれている。圧縮コイルバネ３０３は図４２（Ｂ）、（Ｃ）に示すように変形される。
［第５の変形例］
図４３（Ａ）に示すように、合成樹脂製のケース部材１６０Ｆ−１の壁部２５６−１の開口２５６−２に、ノブ３０５が組み込まれており、且つ壁部２５６−１の内側に圧縮コイルバネ３０６が組み込んである。圧縮コイルバネ３０６によって、ノブ３０５がＹ１方向に付勢されており、壁部２５６−１よりＹ１方向に突き出している。
【０１２２】
通話時の開き状態で、液晶表示筐体１０２Ｆの端がノブ３０５に当っている。折りたたみ型携帯電話機１００Ｆが力を作用されて強制的に開かれると、図４３（Ｂ）、（Ｃ）に示すようにノブ３０５がＹ２方向に押し込まれ、圧縮コイルバネ３０６が圧縮される。力の作用が解除されると、圧縮コイルバネ３０６のばね力でもって、液晶表示筐体１０２Ｆが通話時の位置に戻される。
［第６の変形例］
上記第５の変形例における圧縮コイルバネ３０６に代えて、図４４（Ａ）に示すように、板バネ部材３０７が組み込まれている。板バネ部材３０７は図４４（Ｂ）、（Ｃ）に示すように変形される。
【０１２３】
なお、上記の構成の他に、専ら、合成樹脂製のケース部材１７０Ｆの壁部２７３が弾性変形するようにした構成、又は、合成樹脂製のケース部材１６０Ｆの壁部２５６及び合成樹脂製のケース部材１７０Ｆの壁部２７３の両者が弾性変形するようになっていてもよい。
【０１２４】
なお、上記の各実施例において、シャーシ組立体１１０、１１０Ａ〜１１０Ｆは、マグネシウム製に限るものではなく、アルミニウム等の他の金属でもよい。
【０１２５】
本願は以下の付記の発明を包含するものである。
（付記１）  内部にプリント基板モジュールを有し及び表面に入力部を有する第1の筐体と、内部にプリント基板モジュールを有し及び表面に表示部を有する第２の筐体とを備え、該第1の筐体と該第２の筐体とがヒンジを介して接続されることにより折りたたみ可能である構成の折りたたみ型携帯機において、
該ヒンジを金属製とすると共に、
該ヒンジより延びている金属製の第1の筐体用シャーシ及び第２の筐体用シャーシを有し、
且つ、上記第1の筐体は、上記金属製の第1の筐体用シャーシに対して上記プリント基板モジュール、合成樹脂製の上ケース部材及び下ケース部材が固定してあり、該上ケース部材及び下ケース部材が上記第1の筐体用シャーシを覆う構成であり、
且つ、上記第２の筐体は、上記金属製の第２の筐体用シャーシに対して上記プリント基板モジュール、合成樹脂製の上ケース部材及び下ケース部材が固定してあり、該上ケース部材及び下ケース部材が上記第２の筐体用シャーシを覆う構成としたことを特徴とする折りたたみ型携帯機。
（付記２）  付記１記載の折りたたみ型携帯機において、
上記金属製の第1の筐体用シャーシは、上記プリント基板モジュールを覆うシールド板部を有し、
上記金属製の第２の筐体用シャーシは、上記プリント基板モジュールを覆うシールド板部を有する構成としたことを特徴とする折りたたみ型携帯機。
（付記３）  付記１記載の折りたたみ型携帯機において、
内部アンテナを有し、
上記金属製の第1の筐体用シャーシは、上記プリント基板モジュールより短い長さであり、
上記金属製の第２の筐体用シャーシは、上記プリント基板モジュールより短い長さであり、
上記内部アンテナは、上記第２の筐体の内部のうち上記金属製の第２の筐体用シャーシの外側の位置に設けてある構成としたことを特徴とする折りたたみ型携帯機。
（付記４）  付記１記載の折りたたみ型携帯機において、
内部アンテナを有し、
上記金属製の第２の筐体用シャーシは、上記プリント基板モジュールより短い長さであり、
上記内部アンテナは、上記第２の筐体の内部のうち上記金属製の第２の筐体用シャーシの外側の位置に設けてある構成としたことを特徴とする折りたたみ型携帯機。
（付記５）  付記１記載の折りたたみ型携帯機において、
上記金属製の第1の筐体用シャーシ及び上記金属製の第２の筐体用シャーシのうち少なくとも一方は、筐体の側面に露出するリブを有し、
上記第1の筐体及び第２の筐体のうち少なくとも一方は、側面に上記リブが露出している構成としたことを特徴とする折りたたみ型携帯機。
（付記６）  第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定された折りたたみ型携帯機において、
該第1の金属製部材、該第２の金属製部材のヒンジ部を構成する先端部以外の部分について両面から挟み込むように樹脂製部材を設けたことを特徴とする折りたたみ型携帯機。
（付記７）  第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、
且つ、該第１の合成樹脂部材は、前記第1の金属製部材の先端部が構成するヒンジ部の一部を覆う覆い部を備え、該第２の合成樹脂部材は、前記第２の金属製部材の先端部が構成するヒンジ部の一部を覆う覆い部を備えたことを特徴とする折りたたみ型携帯機。
（付記８）  第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、
且つ、該第１の合成樹脂部材は、前記第1の金属製部材の先端部が構成するヒンジ部を全て覆う覆い部を備え、該第２の合成樹脂部材は、前記第２の金属製部材の先端部が構成するヒンジ部を全て覆う覆い部を備えたことを特徴とする折りたたみ型携帯機。
（付記９）  内部に第1のプリント基板モジュールを有し及び表面に入力部を有する第1の筐体と、内部に第２のプリント基板モジュールを有し及び表面に表示部を有する第２の筐体とを備え、該第1の筐体と該第２の筐体とがヒンジを介して接続されることにより折りたたみ可能である構成の折りたたみ型携帯機において、
該ヒンジを金属製とすると共に、
該ヒンジより延びている金属製の第1の筐体用シャーシ及び第２の筐体用シャーシを有し、
且つ、上記第1の筐体は、上記金属製の第1の筐体用シャーシに対して上記第１のプリント基板モジュール、合成樹脂製であり上記第1の筐体用シャーシの全体を覆うシャーシ覆い部及び該シャーシ覆い部から延びて形成してある上記ヒンジの一部を覆うヒンジ覆い部を有する第1の上ケース部材及び第1の下ケース部材が固定してあり、該第1の上ケース部材及び第1の下ケース部材が、上記第1の筐体用シャーシの全体及び上記ヒンジの一部を覆う構成であり、
且つ、上記第２の筐体は、上記金属製の第２の筐体用シャーシに対して上記プリント基板モジュール、合成樹脂製であり上記第２の筐体用シャーシの全体を覆うシャーシ覆い部及び該シャーシ覆い部から延びて形成してある上記ヒンジのうち上記第1の上ケース部材のヒンジ覆い部及び第1の下ケース部材のヒンジ覆い部によっては覆われていない残りの部分を覆うヒンジ覆い部を有する第２の上ケース部材及び第２の下ケース部材が固定してあり、該第２の上ケース部材及び第２の下ケース部材が上記第２の筐体用シャーシの全体及び上記ヒンジの残りの部分を覆う構成とし、
且つ、
該第1の筐体の第1の下ケース部材と該第２の筐体の第２の下ケース部材とは、該第1の筐体と該第２の筐体とが通話するときの状態にまで開かれたときに、第２の上ケース部材のシャーシ覆い部のうちヒンジ覆い部側の部分が、第１の上ケース部材のシャーシ覆い部のうちヒンジ覆い部側の部分に当接する構成であり、
上記下ケース部材は、シャーシ覆い部のうちヒンジ覆い部側に、押されたときに凹むように弾性変形する壁を有し、
該第1の筐体と該第２の筐体とが、通話時の開き状態を越えて、強制的に更に開かれるときに、上記下ケース部材の壁が弾性変形して、通話時の開き状態を越えての回動が可能となり、開かせる力が解除されると、弾性変形した上記ばね部が復元して、該第1の筐体と該第２の筐体とが、通話時の開き状態に戻される構成としたことを特徴とする折りたたみ型携帯機。
（付記１０）  付記９記載の折りたたみ型携帯機において、
上記第1の下ケース部材の上記の壁の内側に、ばね部材が組み込まれた構成としたことを特徴とする折りたたみ型携帯機。
（付記１１）  付記１記載の折りたたみ型携帯機において、
上記金属製の第1の筐体用シャーシは、上記プリント基板モジュールの端部側を支持する長さであり、
上記金属製の第２の筐体用シャーシは、上記プリント基板モジュールの端部側を支持する長さである構成としたことを特徴とする折りたたみ型携帯機。
【０１２６】
第1の筐体用シャーシ及び第２の筐体用シャーシは短く、第1の筐体用シャーシ及び第２の筐体用シャーシの製造コストが安価となり、且つ、折りたたみ型携帯電話機の重さを軽くすることが可能である。
（付記１２）  内部に第1のプリント基板モジュールを有し及び表面に入力部を有する第1の筐体と、内部に第２のプリント基板モジュールを有し及び表面に表示部を有する第２の筐体とを備え、該第1の筐体と該第２の筐体とがヒンジを介して接続されることにより折りたたみ可能である構成の折りたたみ型携帯機において、
該ヒンジを金属製とすると共に、
該ヒンジより延びている金属製の第1の筐体用シャーシ及び第２の筐体用シャーシを有し、
且つ、上記第1の筐体は、上記金属製の第1の筐体用シャーシに対して上記第１のプリント基板モジュール、合成樹脂製であり上記第1の筐体用シャーシの全体を覆うシャーシ覆い部及び該シャーシ覆い部から延びて形成してある上記ヒンジの一部を覆うヒンジ覆い部を有する第1の上ケース部材及び第1の下ケース部材が固定してあり、該第1の上ケース部材及び第1の下ケース部材が、上記第1の筐体用シャーシの全体及び上記ヒンジの一部を覆う構成であり、
且つ、上記第２の筐体は、上記金属製の第２の筐体用シャーシに対して上記プリント基板モジュール、合成樹脂製であり上記第２の筐体用シャーシの全体を覆うシャーシ覆い部及び該シャーシ覆い部から延びて形成してある上記ヒンジのうち上記第1の上ケース部材のヒンジ覆い部及び第1の下ケース部材のヒンジ覆い部によっては覆われていない残りの部分を覆うヒンジ覆い部を有する第２の上ケース部材及び第２の下ケース部材が固定してあり、該第２の上ケース部材及び第２の下ケース部材が上記第２の筐体用シャーシの全体及び上記ヒンジの残りの部分を覆う構成としたことを特徴とする折りたたみ型携帯機。
【０１２７】
第1の筐体用シャーシ及び第２の筐体用シャーシに加えてヒンジも第1の筐体及び第２の筐体の表面に露出しないようになって、金属製である第1の筐体用シャーシ及び第２の筐体用シャーシ及びヒンジの仕上げ作業がほとんど不要となる。
（付記１３）  付記１２記載の折りたたみ型携帯機において、
上記第1の上ケース部材のヒンジ覆い部分は、上記ヒンジの側端面の一部を覆う第1の壁部を有し、
上記第１の下ケース部材のヒンジ覆い部分は、上記ヒンジの側端面のうち上記第1の壁部によっては覆われていない残りの部分を覆う第２の壁部を有し、
上記第1の壁部と上記第２の壁部とによって、上記ヒンジの側端面が覆われた構成としたことを特徴とする折りたたみ型携帯機。
【０１２８】
ヒンジの側端面を覆う専用のカバー部材が不要となる。
【発明の効果】
【０１２９】
以上説明したように、請求項１の発明は、内部にプリント基板モジュールを有し及び表面に入力部を有する第1の筐体と、内部にプリント基板モジュールを有し及び表面に表示部を有する第２の筐体と、該第1の筐体と該第２の筐体とがヒンジを介して接続されることにより折りたたみ可能である構成の折りたたみ型携帯機において、ヒンジが金属製であり、第1の筐体用シャーシ及び第２の筐体用シャーシが共に金属製であり、第1の筐体は第1の筐体用シャーシを骨格とし、合成樹脂製の上ケース部材及び下ケース部材が第1の筐体用シャーシを覆う構成であり、第２の筐体は第２の筐体用シャーシを骨格とし、合成樹脂製の上ケース部材及び下ケース部材が第２の筐体用シャーシを覆う構成であるため、第1の筐体用シャーシ及び第２の筐体用シャーシが夫々第1の筐体及び第２の筐体の表面に露出しない状態で、折りたたみ型携帯機の機械的強度を高めることが出来る。これによって、金属製である第1の筐体用シャーシ及び第２の筐体用シャーシの仕上げ作業が簡易で足りるにようにすることが出来、この第1の筐体用シャーシ及び第２の筐体用シャーシの歩留まりを上げることが出来、よって、折りたたみ型携帯機の製造性を向上させることが出来る。
【０１３０】
請求項２の発明は、請求項１記載の折りたたみ型携帯機において、上記金属製の第1の筐体用シャーシは、上記プリント基板モジュールを覆うシールド板部を有し、上記金属製の第２の筐体用シャーシは、上記プリント基板モジュールを覆うシールド板部を有する構成としたものであるため、独立した部品としてのシールド板部材が必要でなくなり、部品点数の削減を図ることが出来る。
【０１３１】
請求項３の発明は、請求項１記載の折りたたみ型携帯機において、内部アンテナを有し、上記金属製の第1の筐体用シャーシは、上記プリント基板モジュールより短い長さであり；上記金属製の第２の筐体用シャーシは、上記プリント基板モジュールより短い長さであり、上記内部アンテナは、上記第２の筐体の内部のうち上記金属製の第２の筐体用シャーシの外側の位置に設けてある構成としたものであるため、内部アンテナは、金属製の第２の筐体用シャーシの影響を受けにくく、且つ、閉じた状態においては、金属製の第1の筐体用シャーシの影響を受けにくく、よって、内部アンテナが良好な特性を有するように出来る。
【０１３２】
請求項４の発明は、請求項１記載の折りたたみ型携帯機において、内部アンテナを有し、上記金属製の第２の筐体用シャーシは、上記プリント基板モジュールより短い長さであり、上記内部アンテナは、上記第２の筐体の内部のうち上記金属製の第２の筐体用シャーシの外側の位置に設けてある構成としたものであるため、内部アンテナは第２の筐体の内部のうち上記金属製の第２の筐体用シャーシの外側の位置に設けてあるため、金属製の第２の筐体用シャーシの影響を受けにくく、よって、内部アンテナが良好な特性を有するように出来る。
【０１３３】
請求項５の発明は、請求項１記載の折りたたみ型携帯機において、上記金属製の第1の筐体用シャーシ及び上記金属製の第２の筐体用シャーシのうち少なくとも一方は、筐体の側面に露出するリブを有し、上記第1の筐体及び第２の筐体のうち少なくとも一方は、側面に上記リブが露出している構成としたものであるため、ユーザが折りたたみ型携帯機を手で持ったときに、ユーザの手は最初にリブに接触し、これによって、ユーザに静電気が帯電している場合に、静電気はシャーシを介してプリント基板モジュールのグランドパターンに逃がされ、よって、プリント基板モジュールの電子回路に静電気の電流が流れることが回避され、プリント基板モジュールの電子回路を保護することが出来る。
【０１３４】
請求項６の発明は、第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、該第1の金属製部材、該第２の金属製部材のヒンジ部を構成する先端部以外の部分の少なくとも一部を樹脂製部材で覆った構成としたものであるため、第1の金属製部材、該第２の金属製部材のうち樹脂製部材で覆われる部分を、表面処理が不要とすることが出来、表面処理が必要である面積を減らすことが出来る。
【０１３５】
請求項７の発明は、第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、且つ、該第１の合成樹脂部材は、前記第1の金属製部材の先端部が構成するヒンジ部の一部を覆う覆い部を備え、該第２の合成樹脂部材は、前記第２の金属製部材の先端部が構成するヒンジ部の一部を覆う覆い部を備えた構成としたものであるため、第1の筐体用シャーシ及び第２の筐体用シャーシに加えてヒンジ部の一部が第1の筐体及び第２の筐体の表面に露出しないようになって、金属製である第1の筐体用シャーシ及び第２の筐体用シャーシ及びヒンジの一部については、仕上げ作業をほとんど不要となるように出来、よって、折りたたみ型携帯機の製造性を向上させることが出来る。
【０１３６】
請求項８の発明は、第1の金属製部材の先端部の空間と、第２の金属製部材の先端部の空間に軸を通し、ヒンジ部を構成し、該第1の金属製部材と該第２の金属製部材とがヒンジ部を軸として回転可能であって、該第1の金属製部材及び該第２の金属製部材の夫々に電話機の諸機能を実現する部品が固定され、該第1の金属製部材、該第２の金属製部材の回転に伴って回転する折りたたみ型携帯機において、
該第1の金属製部材を両面から挟み込むように設けられた第１の合成樹脂部材と、該第２の金属製部材を両面から挟み込むように設けられた第２の合成樹脂部材とを備え、且つ、該第１の合成樹脂部材は、前記第1の金属製部材の先端部が構成するヒンジ部を全て覆う覆い部を備え、該第２の合成樹脂部材は、前記第２の金属製部材の先端部が構成するヒンジ部を全て覆う覆い部を備えた構成としたものであるため、第1の筐体用シャーシ及び第２の筐体用シャーシに加えてヒンジ部の全部が第1の筐体及び第２の筐体の表面に露出しないようになって、金属製である第1の筐体用シャーシ及び第２の筐体用シャーシ及びヒンジの仕上げ作業をほとんど不要に出来、よって、折りたたみ型携帯機の製造性を向上させることが出来る。
【０１３７】
請求項９の発明は、第1の筐体の第1の下ケース部材と該第２の筐体の第２の下ケース部材とは、該第1の筐体と該第２の筐体とが通話するときの状態にまで開かれたときに、第２の上ケース部材のシャーシ覆い部のうちヒンジ覆い部側の部分が、第１の上ケース部材のシャーシ覆い部のうちヒンジ覆い部側の部分に当接する構成であり、上記下ケース部材は、シャーシ覆い部のうちヒンジ覆い部側に、押されたときに凹むように弾性変形する壁を有し、該第1の筐体と該第２の筐体とが、通話時の開き状態を越えて、強制的に更に開かれるときに、上記下ケース部材の壁が弾性変形して、通話時の開き状態を越えての回動が可能となり、開かせる力が解除されると、弾性変形した上記ばね部が復元して、該第1の筐体と該第２の筐体とが、通話時の開き状態に戻される構成としたものであるため、通話時の開き状態を越えて開いたときに変形するバネをヒンジ部に組み込む必要がなく、よって、ヒンジ部を簡単な構造に、且つ、ヒンジ部を細く出来る。
【０１３８】
請求項１０の発明は、請求項９記載の折りたたみ型携帯機において、上記第1の下ケース部材の上記の壁の内側に、ばね部材が組み込まれた構成としたものであるため、ばね部材によって、凹まされた下ケース部材の壁が弾性復元することの信頼性が向上し、よって、折りたたみ型携帯機の信頼性の向上を図ることが出来る。
【図面の簡単な説明】
【０１３９】
【図１】従来の折りたたみ型携帯電話機の分解斜視図である。
【図２】図１の折りたたみ型携帯電話機を示す図である。
【図３】本発明の第1実施例の折りたたみ型携帯電話機を一部切截して示す斜視図である。
【図４】図３の折りたたみ型携帯電話機の断面図である。
【図５】図３の折りたたみ型携帯電話機の分解斜視図である。
【図６】シャーシとプリント基板モジュールとを対応させて示す図である。
【図７】プリント基板モジュールが組み込んであるシャーシ組立体を分解して示す図である。
【図８】本発明の第２実施例の折りたたみ型携帯電話機を示す斜視図である。
【図９】図８の折りたたみ型携帯電話機の断面図である。
【図１０】図８の折りたたみ型携帯電話機の分解斜視図である。
【図１１】シャーシとプリント基板モジュールとを対応させて示す図である。
【図１２】プリント基板モジュールが組み込んであるシャーシ組立体を分解して示す図である。
【図１３】本発明の第３実施例の折りたたみ型携帯電話機を示す斜視図である。
【図１４】図１３（Ａ）の折りたたみ型携帯電話機の断面図である。
【図１５】図１３の折りたたみ型携帯電話機の分解斜視図である。
【図１６】シャーシとプリント基板モジュールとを対応させて示す図である。
【図１７】プリント基板モジュールが組み込んであるシャーシ組立体を分解して示す図である。
【図１８】本発明の第４実施例の折りたたみ型携帯電話機を示す斜視図である。
【図１９】図１８（Ａ）の折りたたみ型携帯電話機の断面図である。
【図２０】図１８の折りたたみ型携帯電話機の分解斜視図である。
【図２１】シャーシとプリント基板モジュールとを対応させて示す図である。
【図２２】プリント基板モジュールが組み込んであるシャーシ組立体を分解して示す図である。
【図２３】本発明の第４実施例の折りたたみ型携帯電話機を示す斜視図である。
【図２４】図２３の折りたたみ型携帯電話機の分解斜視図である。
【図２５】シャーシとプリント基板モジュールとを対応させて示す図である。
【図２６】プリント基板モジュールが組み込んであるシャーシ組立体を分解して示す図である。
【図２７】本発明の第６実施例の折りたたみ型携帯電話機を一部切截して示す斜視図である。
【図２８】図２７（Ａ）の折りたたみ型携帯電話機の断面図である。
【図２９】図２７の折りたたみ型携帯電話機の分解斜視図である。
【図３０】シャーシとプリント基板モジュールとを対応させて示す図である。
【図３１】プリント基板モジュールが組み込んであるシャーシ組立体を分解して示す図である。
【図３２】本発明の第７実施例の折りたたみ型携帯電話機を示す斜視図である。
【図３３】図３２の折りたたみ型携帯電話機を上下反転した状態で示す斜視図である。
【図３４】図３２の折りたたみ型携帯電話機の分解斜視図である。
【図３５】図３４中の本体を分解して示す図である。
【図３６】図３５中のシャーシ組立体を分解して示す図である。
【図３７】図３２（Ａ）の折りたたみ型携帯電話機の断面図である。
【図３８】図３２（Ｂ）の折りたたみ型携帯電話機の通話時及び強制開き時のヒンジの部分を示す図である。
【図３９】強制開き・復元に関連する機構の第１の変形例を示す図である。
【図４０】強制開き・復元に関連する機構の第２の変形例を示す図である。
【図４１】強制開き・復元に関連する機構の第３の変形例を示す図である。
【図４２】強制開き・復元に関連する機構の第４の変形例を示す図である。
【図４３】強制開き・復元に関連する機構の第５の変形例を示す図である。
【図４４】強制開き・復元に関連する機構の第６の変形例を示す図である。
【符号の説明】
１００、１００Ａ〜１００Ｆ  折りたたみ型携帯電話機
１０１、１０１Ａ〜１０１Ｆ  操作キー部分（第1の筐体）
１０２、１０２Ａ〜１０２Ｆ  液晶表示部分（第２の筐体）
１０３、１０３Ｆ  ヒンジ
１１０  シャーシ組立体
１２０  操作キー部分用シャーシ
１３０  液晶表示部分用シャーシ
１２１、１３１  枠部
１２６、１３６  円弧面状張り出し部
１２２Ｄａ，１２４Ｄａ，１３２Ｄａ，１３４Ｄａ  リブ
１２８，１３８  シールド板部
１５０  操作キー部分側プリント基板モジュール
１５１  液晶表示部分側プリント基板モジュール
１６０，１７０、１６０Ｆ，１７０Ｆ  下ケース部材
１６１，１７１、１６１Ｆ，１７１Ｆ  上ケース部材
２００  本体
２０１  操作キー部分
２０２  液晶表示部分
２０３  ヒンジ本体部
２１０，２１１  軸モジュール
２４０〜２４３  隙間
２５０，２６０、２７０、２８０  シャーシ覆い部
２５１，２５２，２５３、２６１，２６２，２６３、２７１，２７２、２８１、２８２  ヒンジ覆い部
２５６  壁部
２５７  スリット
３００  板バネ部材
３０５  ノブ